(57)【要約】【課題】ハウジングを分割して構成した場合であっても、ハウジング同士の接合面の隙間をより少なくすることが可能な手乾燥装置を提供すること。【解決手段】手乾燥装置ＨＤはハウジング２を備え、ハウジング２は、第１ハウジング部材２ａと第２ハウジング部材２ｂとを組み合わせることで構成され、第１ハウジング部材２ａと第２ハウジング部材２ｂとは、互いに引き付け合うように力が加わる嵌合構造６を有する。【選択図】図３
2014188078.tif 000002
【特許請求の範囲】
【請求項１】
使用者の手に空気を吹き付けて乾燥させる手乾燥装置において、
使用者の手が挿入される空間である手乾燥室が形成され、前記手乾燥室に送風機から空気を送出するハウジングを備え、
前記ハウジングは、第１ハウジング部材と第２ハウジング部材との少なくとも２つのハウジング部材を組み合わせることで構成され、
前記第１ハウジング部材と前記第２ハウジング部材とは、互いに引き付け合うように力が加わる嵌合構造を有することを特徴とする手乾燥装置。
【請求項２】
前記嵌合構造は、前記第１ハウジング部材と前記第２ハウジング部材とが互いに引き付け合う第１方向に交わるように形成される一対の第１内側壁を有する第１凹部と、前記第１凹部に嵌め合わされ前記一対の第１内側壁それぞれに当接する一対の第１外側壁を有する第１凸部と、を有することを特徴とする請求項１に記載の手乾燥装置。
【請求項３】
前記嵌合構造は、前記第１方向とは異なる第２方向に交わるように形成される一対の第２内側壁を有する第２凹部と、前記第２凹部に嵌め合わされ前記一対の第２内側壁それぞれに当接する一対の第２外側壁を有する第２凸部と、を有し、
前記第１ハウジング部材と前記第２ハウジング部材とは、前記第１方向に加えて前記第２方向においても互いに引き付け合うように構成されていることを特徴とする請求項２に記載の手乾燥装置。
【請求項４】
前記第１ハウジング部材は前記手乾燥室の一部を構成する一方で、前記第２ハウジング部材は前記手乾燥室の残部を構成し、
前記第１方向は、前記手乾燥室内に臨む前記第１ハウジング部材と前記第２ハウジング部材との隙間を狭める方向であり、
前記第２方向は、前記手乾燥装置の外周面を構成する前記第１ハウジング部材と前記第２ハウジング部材との段差を少なくする方向であることを特徴とする請求項３に記載の手乾燥装置。
【請求項５】
前記一対の第１内側壁及び前記一対の第２内側壁の少なくとも一方は、互いの間隔が徐々に狭まるように配置されるとともに、
前記一対の第１外側壁及び前記一対の第２外側壁の少なくとも一方も、互いの間隔が徐々に狭まるように配置されることを特徴とする請求項３又は４に記載の手乾燥装置。
【請求項６】
前記第１ハウジング部材の一端側を中心として回動させ、前記第１ハウジング部材の他端側と前記第２ハウジング部材とを嵌め合わせるものであって、
前記一対の第１内側壁及び前記一対の第２内側壁の少なくとも一方は、前記一端側を中心とした前記他端側の回動軌跡に略沿った曲面を描くように湾曲形成されていることを特徴とする請求項３から５のいずれか１項に記載の手乾燥装置。
【請求項７】
前記第１ハウジング部材には、送風機と、前記送風機から送出される空気を前記手乾燥室に吹き出すためのノズルとが設けられ、
前記第２ハウジング部材には、使用者の手から離脱した水を受けるための水受け部が設けられていることを特徴とする請求項３から６のいずれか１項に記載の手乾燥装置。
【発明の詳細な説明】
【技術分野】
【０００１】
本発明は、使用者の手に空気を吹き付けて乾燥させる手乾燥装置に関する。
【背景技術】
【０００２】
使用者の手に空気を吹き付けて乾燥させる手乾燥装置は、空気を吹き出すための送風機及びノズルと、手を入れるための空間を確定するための手乾燥室とを備えるものが知られている。このような手乾燥装置は、手乾燥室を取り外して洗うための配慮や、送風機やノズルを収めて乾燥室を形成するハウジングの成形性の問題などから、いくつかの部分に分割して形成される。その一例として、下記特許文献１に記載のものが知られている。
【先行技術文献】
【特許文献】
【０００３】
【特許文献１】実開昭６１−２１３９３号公報
【発明の概要】
【発明が解決しようとする課題】
【０００４】
手乾燥装置は、使用者が濡れた手を手乾燥室に挿入し、ノズルから吹き出された空気によって手についた水滴を飛ばして乾燥するものである。従って、手乾燥室内は高速の風が循環し、水滴やほこりもその風に乗って循環する。上述したように、手乾燥装置を構成するハウジングはいくつかの部分を組み合わせて構成されるものである。そして、手乾燥室は一体で成形するには複雑な形状となることが多く、手乾燥室を構成するハウジングをいくつかに分割することになる。
【０００５】
このようにハウジングは分割して構成され、水滴やほこりが乗った風が舞う条件では、分割したハウジング同士の突き合わせ部分に生じる隙間から水滴やほこりが内部に入りやすくなる。
【０００６】
本発明はこのような課題に鑑みてなされたものであり、その目的は、ハウジングを分割して構成した場合であっても、ハウジング同士の接合面の隙間をより少なくすることが可能な手乾燥装置を提供することにある。
【課題を解決するための手段】
【０００７】
上記課題を解決するために本発明に係る手乾燥装置は、使用者の手に空気を吹き付けて乾燥させる手乾燥装置であって、使用者の手が挿入される空間である手乾燥室が形成され、手乾燥室に送風機から空気を送出するハウジングを備える。ハウジングは、第１ハウジング部材と第２ハウジング部材との少なくとも２つのハウジング部材を組み合わせることで構成され、第１ハウジング部材と第２ハウジング部材とは、互いに引き付け合うように力が加わる嵌合構造を有する。
【０００８】
本発明では、第１ハウジング部材と第２ハウジング部材とは、互いに引き付け合うように力が加わる嵌合構造を有するので、第１ハウジング部材と第２ハウジング部材との隙間を小さくするための部材の追加や特別の作業をせずに、ハウジング同士の隙間をより小さくすることができる。
【０００９】
また本発明に係る手乾燥装置では、嵌合構造は、第１ハウジング部材と第２ハウジング部材とが互いに引き付け合う第１方向に交わるように形成される一対の第１内側壁を有する第１凹部と、第１凹部に嵌め合わされ一対の第１内側壁それぞれに当接する一対の第１外側壁を有する第１凸部と、を有することも好ましい。
【００１０】
この好ましい態様では、第１凹部及び第１凸部を形成し、それらの配置方向を工夫するという簡単な構成で、第１ハウジング部材と第２ハウジング部材とを第１方向に引き付け合うように構成することができる。
【００１１】
また本発明に係る手乾燥装置では、嵌合構造は、第１方向とは異なる第２方向に交わるように形成される一対の第２内側壁を有する第２凹部と、第２凹部に嵌め合わされ一対の第２内側壁それぞれに当接する一対の第２外側壁を有する第２凸部と、を有し、第１ハウジング部材と第２ハウジング部材とは、第１方向に加えて第２方向においても互いに引き付け合うように構成されていることも好ましい。
【００１２】
この好ましい態様では、第１方向に加えて第２方向においても第１ハウジング部材と第２ハウジング部材とが引き付け合うように構成することができるので、異なる方向における互いの隙間の抑制や、隙間に加えて隣接し同一面を形成する場合の段差の抑制といった、多様な位置合わせに対応することができる。
【００１３】
また本発明に係る手乾燥装置では、第１ハウジング部材は手乾燥室の一部を構成する一方で、第２ハウジング部材は手乾燥室の残部を構成し、第１方向は、手乾燥室内に臨む第１ハウジング部材と第２ハウジング部材との隙間を狭める方向であり、第２方向は、手乾燥装置の外周面を構成する第１ハウジング部材と第２ハウジング部材との段差を少なくする方向であることも好ましい。
【００１４】
この好ましい態様では、第１方向を、手乾燥室内に臨む第１ハウジング部材と第２ハウジング部材との隙間を狭める方向とすることで、水滴やほこりが乗った空気が流れる手乾燥室を構成する部材間の隙間を狭め、その隙間から内部に水滴やほこりが入り込むことを抑制することができる。また、第２方向を、手乾燥装置の外周面を構成する第１ハウジング部材と第２ハウジング部材との段差を少なくする方向とすることで、分割形成したハウジングの外観をより滑らかで一体感のあるものとすることができる。
【００１５】
また本発明に係る手乾燥装置では、一対の第１内側壁及び一対の第２内側壁の少なくとも一方は、互いの間隔が徐々に狭まるように配置されるとともに、一対の第１外側壁及び一対の第２外側壁の少なくとも一方も、互いの間隔が徐々に狭まるように配置されることも好ましい。
【００１６】
この好ましい態様では、例えば、一対の第１内側壁の互いの間隔を徐々に狭めると共に、一対の第１外側壁の互いの間隔も徐々に狭まるように配置することで、第１凹部に第１凸部を嵌め合わせる場合、第１凹部に第１凸部を押し込んでいくこととのみで、互いに確実に嵌合させることができる。従って、一対の第１内側壁及び一対の第２内側壁の配置間隔と、一対の第１外側壁及び一対の第２外側壁の配置間隔とを工夫するという簡単な構成で、確実な嵌合状態を実現することができる。
【００１７】
また本発明に係る手乾燥装置では、第１ハウジング部材の一端側を中心として回動させ、ハウジング部材の他端側と第２ハウジング部材とを嵌め合わせるものであって、一対の第１内側壁及び一対の第２内側壁の少なくとも一方は、一端側を中心とした他端側の回動軌跡に略沿った曲面を描くように湾曲形成されていることも好ましい。
【００１８】
この好ましい態様では、第１ハウジング部材の一端側を中心として回動させて、第１ハウジング部材の他端側と第２ハウジング部材とを嵌め合わせる際に、例えば、一対の第１内側壁を、一端側を中心とした他端側の回動軌跡に略沿った曲面を描くように湾曲形成する。このように壁面を構成することで、第１凹部に対する第１凸部の嵌め合わせを円滑なものとし、第１ハウジング部材と第２ハウジング部材とを一体化する際の施工性を向上することができる。
【００１９】
また本発明に係る手乾燥装置では、第１ハウジング部材には、送風機と、送風機から送出される空気を手乾燥室に吹き出すためのノズルとが設けられ、第２ハウジング部材には、使用者の手から離脱した水を受けるための水受け部が設けられていることも好ましい。
【００２０】
この好ましい態様では、空気を吸い込みノズルから吹き出す部分を第１ハウジング部材側とし、風に乗った水滴を受ける水受け部を第２ハウジング部材側としているので、水滴やほこりが乗った風が流れる部分となる第１ハウジング部材と第２ハウジング部材との接合面を密接させることで、水滴やほこりの内部への吸い込みを抑制することができる。
【発明の効果】
【００２１】
本発明によれば、ハウジングを分割して構成した場合であっても、ハウジング同士の接合面の隙間をより少なくすることが可能な手乾燥装置を提供することができる。
【図面の簡単な説明】
【００２２】
【図１】本発明の実施形態に係る手乾燥装置を示す斜視図である。
【図２】図１に示す手乾燥装置の中央近傍における縦断面図である。
【図３】図１に示す手乾燥装置のハウジングのみを示す部分断面斜視図である。
【図４】図３のＡ部分を示す斜視図である。
【図５】図１に示す手乾燥装置のハウジングのみを示す部分縦断面図である。
【図６】図５のＢ部分を示す部分縦断面図である。
【図７】図５に示すハウジングを組み立てる状態を示す部分縦断面図である。
【図８】図１に示す手乾燥装置のハウジングのみを示す部分横断面図である。
【図９】図８のＣ部分を示す部分横断面図である。
【発明を実施するための形態】
【００２３】
本発明の実施形態に係る手乾燥装置について、図１及び図２を参照しながら説明する。図１は、本発明の実施形態に係る手乾燥装置ＨＤを示す斜視図である。図２は、図１に示す手乾燥装置ＨＤの中央近傍における縦断面図である。
【００２４】
図１に示すように、鉛直上方に向かう方向をｙ軸の正方向とし、手乾燥装置ＨＤの前方側に向かう方向（手乾燥装置ＨＤが取り付けられる壁面の法線方向）をｚ軸の正方向とする。また、手乾燥装置ＨＤの左方向（手乾燥装置ＨＤが取り付けられる壁面に向かって右側に向かう方向）をｘ軸の正方向とする。図２以降においても、ｘ軸、ｙ軸、ｚ軸を同様に設定し、説明のために適宜用いるものとする。
【００２５】
手乾燥装置ＨＤは、ハウジング２内に種々の機能部品を組み込んで構成されている。ハウジング２は、第１ハウジング部材２ａと、第２ハウジング部材２ｂとを有する。第１ハウジング部材２ａは、設置面である壁面側が開放された略立方体形状をなしている。第２ハウジング部材２ｂは、設置面である壁面に沿う部分と、その下方からｚ軸正方向に突出する部分とによって構成されている。
【００２６】
手乾燥装置ＨＤには、手乾燥室３が形成されている。手乾燥室３は、上板部４ａと、背板部４ｂと、下板部４ｃとによって３方が確定される空間である。上板部４ａは、第１ハウジング部材２ａの下面（ｙ軸負方向に向く面）として形成されている。背板部４ｂは、第２ハウジング部材２ｂの壁面側に沿う面として形成されている。下板部４ｃは、第２ハウジング部材２ｂの下方に配置される面として形成されている。
【００２７】
従って、手乾燥室３は、第１ハウジング部材２ａと第２ハウジング部材２ｂとを組み合わせることで形成される空間である。手乾燥室３の下方には、水受け部５が設けられている。
【００２８】
第１ハウジング部材２ａの内部には、ブロアー２０（送風機）とノズル９とが配置されている。ブロアー２０は、モーター１６と、ターボファン（図に明示せず）と、ブロアーケース２１とを有している。モーター１６は、ターボファンを回転させるための駆動源として機能している。モーター１６及びターボファンは、吸込側を背面側にし、排気側を前方側にした状態で、ブロアーケース２１内に収められている。
【００２９】
ブロアーケース２１の前側下部には吹出口８が開設されている。吹出口８には、ブロアー２０により生成された高圧空気を手乾燥室３に噴出するためのノズル９が装着されている。ノズル９は、使用者の手に向けて高圧空気を吹き出すためのものであって、その噴射口を下方に向けた状態で上板部４ａに配置されている。ブロアーケース２１の吹出口とノズル９との間には、ここを通過する高圧空気を昇温するヒーター１８が配置されている。
【００３０】
第１ハウジング部材２ａの内部には更に、センサー１０と、制御部（図に明示せず）とが配置されている。制御部は、センサー１０、モーター１６、及びヒーター１８の駆動を制御する部分である。センサー１０が手乾燥室３に差し込まれた使用者の手を検出すると、センサー１０の検出結果を受けた制御部がモーター１６を駆動する。センサー１０が使用者の手を検知しなくなると、センサー１０の非検出結果を受けた制御部がモーター１６を停止する。制御部は、モーター１６と同期させてヒーター１８を駆動・停止する。
【００３１】
このような構成により、使用者が手乾燥室３に濡れた手を挿入すると、ノズル９から自動的に空気が吹き出され、手に付着している水滴を吹き飛ばしながら手の乾燥が行われる。また、使用者が手乾燥室３から手を引きだすと、ノズル９からの空気の吹き出しは自動的に停止される。
【００３２】
水受け部５は、ノズル９により吹き飛ばされた水滴を受け取るため、第２ハウジング部２ｂ下方に形成されている。水受け部５は、下板部４ｃと、その更に下方に設けられ、水滴を貯留する水受けトレイ（図に明示せず）とを有している。下板部４ｃには、水受けトレイに水滴を落下させるための排水口が形成されている。水受けトレイは着脱可能となっているため、水受けトレイを取り外すことによって水受けトレイ内の水を容易に捨てることができる。
【００３３】
上板部４ａには、前述のように、使用者の手に向けて高圧空気を吹き出すためのノズル９が設けられている。ノズル９は、上板部４ａの前方側に配設されている。ノズル９の吹き出し方向は、下方且つ背板部４ｂに向かう方向に吹き出すように形成されている。手乾燥室３内に挿入された使用者の手は、その先端（指先）が斜め下方に向かった状態となっている。このため、ノズルから吹き出された空気は使用者の手に沿って流れることとなり、使用者の手に付着した水滴を効率的に吹き飛ばすことができる。ノズル９から使用者の手に沿う方向に吹き出されて手の表面を通過した空気は、少なくともその一部が背板部４ｂに当たる。
【００３４】
手乾燥室３内は水滴や埃が乗った風が流れる場所であるので、手乾燥室３を確定する上板部４ａと背板部４ｂと下板部４ｃとは一体的に継ぎ目なく形成することが、ハウジング２内への水滴や埃の侵入を防止する観点から好ましいものである。しかしながら、図１及び図２に示すように、ハウジング２全体の形状が複雑なものであることから、ハウジング２を第１ハウジング部材２ａと第２ハウジング部材２ｂとに分割して形成する必要がある。そこで本実施形態では、第１ハウジング部材２ａと第２ハウジング部材との密着性を高めて、水滴や埃がハウジング２の内部に入り込みにくくするため嵌合構造を設けている。
【００３５】
この嵌合構造について、図３及び図４を参照しながら説明する。図３は、図１に示す手乾燥装置ＨＤのハウジング２のみを示す部分断面斜視図である。図４は、図３のＡ部分を示す斜視図である。図３に示すように、嵌合構造６は、第１ハウジング部材２ａと第２ハウジング部材２ｂとが当接するＡ部分に形成されている。より具体的には、第１ハウジング部材２ａの上板部４ａと、第２ハウジング部材２ｂの背板部４ｂとが当接する部分に形成されている。
【００３６】
図４に示すように、嵌合構造６は、第１ハウジング２ａ側に形成されている第１凸部６１ａと第２ハウジング２ｂ側に形成されている第１凹部６１ｂとが嵌合すると共に、第１ハウジング２ａ側に形成されている第２凹部６２ｂと第２ハウジング２ｂ側に形成されている第２凸部６２ａとが嵌合することで構成されている。嵌合構造６は、第１ハウジング２ａと第２ハウジング２ｂとが互いに引き付け合うように力を作用させるための構造である。
【００３７】
続いて、第１方向であるｙ軸方向において、第１ハウジング２ａと第２ハウジング２ｂとが互いに引き付け合う構造を、図５を参照しながら説明する。図５は、手乾燥装置ＨＤのハウジング２のみを示す部分縦断面図である。
【００３８】
図５に示すように、第１ハウジング２ａに形成された第１凸部６１ａと、第２ハウジング２ｂに形成された第１凹部６１ｂとが嵌合している。図６に、図５のＢ部分を示す。
【００３９】
図６に示すように、第１凸部６１ａは、一対の第１外側壁６１ａａ，６１ａｂを有している。一対の第１外側壁６１ａａ，６１ａｂは、第１方向であるｙ軸方向に交わるように形成されている。一対の第１外側壁６１ａａ，６１ａｂは、第１凸部６１ａの先端に行くに従って互いの間隔が狭まるように形成されている。
【００４０】
第１凹部６１ｂは、一対の第１内側壁６１ｂａ，６１ｂｂを有している。一対の第１内側壁６１ｂａ，６１ｂｂは、第１方向であるｙ軸方向に交わるように形成されている。一対の第１内側壁６１ｂａ，６１ｂｂは、第１凹部６１ｂの奥側に行くに従って互いの間隔が狭まるように形成されている。
【００４１】
第１凹部６１ｂに第１凸部６１ａを嵌め込んでいくと、楔を打ち込むような状況となり、第１外側壁６１ａａと第１内側壁６１ｂａとが密接し、第１外側壁６１ａｂと第１内側壁６１ｂｂとが密接する。従って、第１ハウジング２ａと第２ハウジング２ｂとが第１方向であるｙ軸方向に沿って互いに引き付け合って、第１ハウジング２ａと第２ハウジング２ｂとの間の隙間を狭めて密着させる。
【００４２】
第１内側壁６１ｂａは、曲率半径Ｒで描いた円弧に沿った曲面を形成している。ここで、第１ハウジング２ａを第２ハウジング２ｂに取り付ける状況を図７に示す。図７に示すように、第１ハウジング２ａは、奥側上端である回転軸部２５を中心として、回転させながら第２ハウジング２ｂに取り付けられる。第１内側壁６１ｂａは、第１凸部６１ａが円軌道を描きながら挿入される際に受け入れやすいように、曲率半径Ｒで描いた円弧に沿った曲面を形成している。曲率半径Ｒは、回転軸部２５を中心とした第１凸部６１ａが描く円軌道よりも小径な円弧になるように定められる。
【００４３】
続いて、第２方向であるｘ軸方向において、第１ハウジング２ａと第２ハウジング２ｂとが互いに引き付け合う構造を、図８を参照しながら説明する。図８は、手乾燥装置ＨＤのハウジング２のみを示す部分横断面図である。
【００４４】
図８に示すように、第１ハウジング２ａに形成された第２凹部６２ｂと、第２ハウジング２ｂに形成された第２凸部６２ａとが嵌合している。図９に、図８のＣ部分を示す。
【００４５】
図８に示すように、第２凸部６２ａは、一対の第２外側壁６２ａａ，６２ａｂを有している。一対の第２外側壁６２ａａ，６２ａｂは、第２方向であるｘ軸方向に交わるように形成されている。一対の第２外側壁６２ａａ，６２ａｂは、第２凸部６２ａの先端に行くに従って互いの間隔が狭まるように形成されている。
【００４６】
第２凹部６２ｂは、一対の第２内側壁６２ｂａ，６２ｂｂを有している。一対の第２内側壁６２ｂａ，６２ｂｂは、第２方向であるｘ軸方向に交わるように形成されている。一対の第２内側壁６２ｂａ，６２ｂｂは、第２凹部６２ｂの奥側に行くに従って互いの間隔が狭まるように形成されている。
【００４７】
第２凹部６２ｂに第２凸部６２ａを嵌め込んでいくと、楔を打ち込むような状況となり、第２外側壁６２ａａと第２内側壁６２ｂａとが密接し、第２外側壁６２ａｂと第２内側壁６２ｂｂとが密接する。従って、第１ハウジング２ａと第２ハウジング２ｂとが第２方向であるｃ軸方向に沿って互いに引き付け合って、第１ハウジング２ａの外壁と第２ハウジング２ｂの外壁との間の段差を少なくするように密着させる。
【符号の説明】
【００４８】
ＨＤ：手乾燥装置
２：ハウジング
２ａ：第１ハウジング部材
２ｂ：第２ハウジング部材
３：手乾燥室
４ａ：上板部
４ｂ：背板部
４ｃ：下板部
５：水受け部
６：嵌合構造
６１ａ：第１凸部
６１ｂ：第１凹部
６２ａ：第２凸部
６２ｂ：第２凹部
８：吹出口
９：ノズル
１０：センサー
１６：モーター
１８：ヒーター
２０：ブロアー（送風機）
２１：ブロアーケース
【図１】
2014188078.tif 000003
【図２】
2014188078.tif 000004
【図３】
2014188078.tif 000005
【図４】
2014188078.tif 000006
【図６】
2014188078.tif 000007
【図９】
2014188078.tif 000008
【図５】
2014188078.tif 000009
【図７】
2014188078.tif 000010
【図８】
2014188078.tif 000011